(57)【要約】【課題】従来構造よりも耐荷重性の高い馳式折版屋根材を施工可能となるタイトフレームを提供すること。【解決手段】タイトフレーム１の前記山部10の頂面10Ａを、吊子３固定用の固定具２が折版屋根材４の山部40の裏面に接触することを避けるために一段低くした段差面を有しない平坦な水平頂面10Ａに形成し、この平坦な水平頂面10Ａに、この水平頂面10Ａより上方へ突出させた固定具２により吊子３を固定し、この吊子３を介してタイトフレーム１上に折版屋根材４を取付した際、水平頂面10Ａと折版屋根材４の山部40の裏面との間に生じる隙間５に配設して、折版屋根材４の山部40の裏面を支承する支承部材６を、この水平頂面10Ａに突設する。【選択図】図２
2008214889.tif 000002
【特許請求の範囲】
【請求項１】
ボルトなどの固定具により折版屋根材取付用の吊子を山部に固定して使用する馳式折版屋根用のタイトフレームであって、タイトフレームの前記山部の頂面を、前記吊子固定用の段差面であってこの吊子固定用の前記固定具が前記折版屋根材の山部の裏面に接触することを避けるために一段低くした段差面を有しない平坦な段差のない水平頂面に形成し、この平坦な水平頂面に、この水平頂面より上方へ突出させた前記固定具により前記吊子を固定し、この吊子を介してタイトフレーム上に折版屋根材を取付した際、前記水平頂面と折版屋根材の山部の裏面との間に生じる隙間に配設して、折版屋根材の山部の裏面を支承若しくは荷重が加わって折版屋根材の山部が下方に変形した際にこの山部の裏面を支承する支承部材を、この水平頂面に突設したことを特徴とするタイトフレーム。
【請求項２】
前記水平頂面の、この水平頂面より上方へ突出させた前記固定具の側方位置に前記支承部材を突設したことを特徴とする請求項１記載のタイトフレーム。
【請求項３】
前記支承部材は、前記水平頂面に固定された前記吊子上部の立設板部を挟んで前記固定具が突出していない側に生じる前記隙間に配設し得る前記水平頂面位置に突設して、この支承部材が前記固定具の存しない側に配する前記折版屋根材の山部の裏面を支承若しくは荷重が加わって折版屋根材の山部が下方に変形した際にこの山部の裏面を支承し得るように構成したことを特徴とする請求項１，２のいずれか１項に記載のタイトフレーム。
【請求項４】
前記水平頂面に固定された前記吊子上部の立設板部を挟んで前記固定具が突出している側に生じる前記隙間に配設して、この固定具の存する側に配する前記折版屋根材の山部の裏面を支承若しくは荷重が加わって折版屋根材の山部が下方に変形した際にこの山部の裏面を支承する第二の支承部材を備えたことを特徴とする請求項３記載のタイトフレーム。
【請求項５】
一枚の金属板を略コ字状に折曲形成してこのコ字形の金属板の両端部を前記水平頂面に接地して取付すると共に、コ字形の金属板の中間板部を前記折版屋根材の山部の裏面を支承若しくは荷重が加わって折版屋根材の山部が下方に変形した際にこの山部の裏面を支承する支承面として水平頂面より突設する形状の前記支承部材を構成したことを特徴とする請求項１〜４のいずれか１項に記載のタイトフレーム。
【発明の詳細な説明】
【技術分野】
【０００１】
本発明は、馳式折版屋根用のタイトフレームに関するものである。
【背景技術】
【０００２】
馳式の折版屋根は、母屋70の上面に沿って固定されたタイトフレーム71上に、折版屋根材72を順次被嵌して取付固定することで構成されている。
【０００３】
更に具体的には、図１５に示すように、タイトフレーム71の山部710に吊子73を固定し、この吊子73を挟み込むようにしてタイトフレーム71上に折版屋根材72を隣接状態に載置すると共に、この隣接する折版屋根材72端部の夫々の山部720に設けた接合部720Ａ同士を吊子73に重合させて、この接合部720Ａを馳締めすることによりタイトフレーム71上に吊子73を介して折版屋根材72を取付している。
【０００４】
また、このタイトフレーム71の山部710は、中程で段差を有する形状、即ち上段部710Ａと下段部710Ｂとを有する形状に折曲形成され、下段部710Ｂに前記吊子73を載置した上、この下段部710Ｂと吊子73とを上下方向に貫通する固定具74（例えば、図示したボルト・ナット）により下段部710Ｂに吊子73を固定している。
【発明の開示】
【発明が解決しようとする課題】
【０００５】
このタイトフレーム71の山部710は、吊子73固定用の前記固定具74が（吊子73の下部の固定板部73Ａより上方へ突出する固定具74の上端が）前記折版屋根材72の山部720の下面に接触することを避けるために、吊子73を一段下げて固定できる下段部710Ｂを有する形状としているのであるが、この段差形状に山部710を折曲形成してしまうと、山部710の強度が落ちてしまうことがわかっている。
【０００６】
つまり、この山部710が段差を有しない平坦（水平）な形状であれば強度が高いままであるので、特に高い耐荷重性能が要求される豪雪地域などでは、できることなら山部710が平坦で頂面が段差のない水平頂面となるタイトフレームを使用して耐荷重性を向上させたい。
【０００７】
しかし、単に山部710が水平頂面となるタイトフレームを使用しただけでは、元々、折版屋根材72を馳締めして吊子73に固定した際に吊子73固定用の固定具74が折版屋根材72の山部720の裏面に接触しないような寸法設定が吊子73と折版屋根材72とになされているため、タイトフレーム71の山部710の頂面と折版屋根材72の山部720の裏面との間には、この固定具74が折版屋根材72の山部720の裏面に接触することを避けるための隙間が生じてしまうことになり、本来ならばこの隙間には山部710の上段部710Ａが位置して山部720の裏面を支承可能となるのであるが、この上段部710Ａがないことで折版屋根材72の山部720を支承するものがなく、それ故山部720に荷重が加わるとこの山部720が簡単に下方へ変形してしまうものとなってしまう。
【０００８】
本出願人は、山部に段差を形成しないタイトフレームを用いて馳式の折版屋根材を耐荷重性能の低下を伴わずに施工できる手法について鋭意研究を重ね、試行錯誤した末、これを実現することのできる本発明のタイトフレームを完成するに至った。
【０００９】
即ち、本発明は、山部に段差のない強度の高いタイトフレームでありながら、折版屋根材の耐荷重性を落とすことなく折版屋根材を施工できる画期的なタイトフレームを提供するものである。
【課題を解決するための手段】
【００１０】
添付図面を参照して本発明の要旨を説明する。
【００１１】
ボルトなどの固定具２により折版屋根材４取付用の吊子３を山部10に固定して使用する馳式折版屋根用のタイトフレーム１であって、タイトフレーム１の前記山部10の頂面10Ａを、前記吊子３固定用の段差面であってこの吊子３固定用の前記固定具２が前記折版屋根材４の山部40の裏面に接触することを避けるために一段低くした段差面を有しない平坦な段差のない水平頂面10Ａに形成し、この平坦な水平頂面10Ａに、この水平頂面10Ａより上方へ突出させた前記固定具２により前記吊子３を固定し、この吊子３を介してタイトフレーム１上に折版屋根材４を取付した際、前記水平頂面10Ａと折版屋根材４の山部40の裏面との間に生じる隙間５に配設して、折版屋根材４の山部40の裏面を支承若しくは荷重が加わって折版屋根材４の山部40が下方に変形した際にこの山部40の裏面を支承する支承部材６を、この水平頂面10Ａに突設したことを特徴とするタイトフレームに係るものである。
【００１２】
また、前記水平頂面10Ａの、この水平頂面10Ａより上方へ突出させた前記固定具２の側方位置に前記支承部材６を突設したことを特徴とする請求項１記載のタイトフレームに係るものである。
【００１３】
また、前記支承部材６は、前記水平頂面10Ａに固定された前記吊子３上部の立設板部30を挟んで前記固定具２が突出していない側に生じる前記隙間５に配設し得る前記水平頂面10Ａ位置に突設して、この支承部材６が前記固定具２の存しない側に配する前記折版屋根材４の山部40の裏面を支承若しくは荷重が加わって折版屋根材４の山部40が下方に変形した際にこの山部40の裏面を支承し得るように構成したことを特徴とする請求項１，２のいずれか１項に記載のタイトフレームに係るものである。
【００１４】
また、前記水平頂面10Ａに固定された前記吊子３上部の立設板部30を挟んで前記固定具２が突出している側に生じる前記隙間５に配設して、この固定具２の存する側に配する前記折版屋根材４の山部40の裏面を支承若しくは荷重が加わって折版屋根材４の山部40が下方に変形した際にこの山部40の裏面を支承する第二の支承部材16を備えたことを特徴とする請求項３記載のタイトフレームに係るものである。
【００１５】
また、一枚の金属板60を略コ字状に折曲形成してこのコ字形の金属板60の両端部を前記水平頂面10Ａに接地して取付すると共に、コ字形の金属板60の中間板部を前記折版屋根材４の山部40の裏面を支承若しくは荷重が加わって折版屋根材４の山部40が下方に変形した際にこの山部40の裏面を支承する支承面60Ａとして水平頂面10Ａより突設する形状の前記支承部材６を構成したことを特徴とする請求項１〜４のいずれか１項に記載のタイトフレームに係るものである。
【発明の効果】
【００１６】
本発明は上述のように、タイトフレームの山部を略平坦な段差のない水平頂面に形成したから、山部に段差部（折曲部）を有する従来の馳式折版屋根取付用のタイトフレームに比して山部の強度が非常に高く、しかも、このようにタイトフレームの山部の頂面に吊子取付用の段差を有しない構造でありながら、タイトフレームの山部の水平頂面に、この水平頂面と折版屋根材の山部の裏面との間に生じる隙間に配設して折版屋根材の山部の裏面を支承する支承部材を突設したため、この折版屋根材の山部上に人が載った際や積雪による大きな荷重が加わった際には、この荷重を支承部材が支承するので簡単に折版屋根の山部が沈み込み変形するようなことなく、前記したようにタイトフレームの山部の強度が高いこともあって秀れた耐荷重性能を発揮する馳式折版屋根を施工可能となる極めて実用性に秀れた画期的なタイトフレームとなる。
【００１７】
また、請求項２記載の発明においては、固定具を避けるために固定具の周囲に生じる前記隙間に確実に支承部材が配設することになるので、隙間上方の折版屋根材の山部の裏面をこの支承部材が確実に支承することができて、この山部の下方への変形を確実に防止できることとなる一層実用性に秀れた構成のタイトフレームとなる。
【００１８】
また、請求項３記載の発明においては、固定具すらない側の隙間に支承部材が配設して折版屋根材の山部の下方への沈み込み変形を確実に防止することができる極めて実用性に秀れた構成のタイトフレームとなる。
【００１９】
また、請求項４記載の発明においては、隣接する折版屋根材の夫々の山部の裏面を支承部材と第二の支承部材とで支承できるので、この双方の山部の下方への変形を確実に防止することができ、極めて秀れた耐荷重性を発揮する一層実用性に秀れた構成のタイトフレームとなる。
【００２０】
また、請求項５記載の発明においては、一枚の金属板を折曲することにより極めて容易に且つコスト安に支承部材を実現可能となり、しかも、金属板をコ字状に折曲形成して構成したこの支承部材は強度が高く、耐荷重性に秀れるために良好に折版屋根材の山部の裏面を支承して山部の変形を防止することになる一層実用性に秀れた構成のタイトフレームとなる。
【発明を実施するための最良の形態】
【００２１】
好適と考える本発明の実施形態（発明をどのように実施するか）を、図面に基づいて本発明の作用を示して簡単に説明する。
【００２２】
従来の一般的な馳式折版屋根の取付に用いられるタイトフレーム71は、図１５に示すように、吊子73固定用の段差面であってこの吊子73固定用の固定具（固定具74）が折版屋根材72の山部720の裏面に接触することを避けるために（吊子73の下部の固定板部73Ａとタイトフレーム71の山部710の頂面とを固定具74により固定してタイトフレーム71の山部710に吊子73を固定した際、この固定板部73Ａの上面より上方へ突出する固定具74の上部が、折版屋根材72の山部720の裏面に接触することを避けるために）一段低くした段差面（下段部710Ｂ）を有しているが、本発明のタイトフレーム１は、山部10の頂面10Ａを略平坦な段差のない水平頂面10Ａに形成している。
【００２３】
そのため、従来の馳式折版屋根取付用のタイトフレーム71のように、山部720に段差（折曲部）を形成した場合にはこの山部720の強度が落ちてしまうが、山部10に段差を有しない本発明のタイトフレーム１は、従来のタイトフレーム71に比して山部10の強度が非常に高い。
【００２４】
この略平坦なタイトフレーム１の山部10にボルトなどの固定具２により吊子３を固定し、この吊子３を挟み込むようにしてタイトフレーム１上に折版屋根材４を隣接状態に載置すると共に、この隣接する折版屋根材４端部の夫々の山部40に設けた接合部40Ａ同士を吊子３に重合させてこの接合部40Ａを馳締めすることによりタイトフレーム１上に吊子３を介して折版屋根材４を取付する。
【００２５】
この際、吊子３と折版屋根材４には、元々折版屋根材４を馳締めして吊子３に固定した際に、吊子３固定用の固定具２が折版屋根材４の山部40の裏面に接触しないような寸法設定がなされているため、タイトフレーム１の山部10の水平頂面10Ａと折版屋根材４の山部40の裏面との間には、この固定具２が折版屋根材４の山部40の裏面に接触することを避けるための隙間５が生じているが、この隙間５には水平頂面10Ａに突設した支承部材６が配設して、この支承部材６が折版屋根材４の山部40の裏面を支承若しくは荷重が加わって折版屋根材４の山部40が下方に変形した際にこの山部40を支承することになる。
【００２６】
従って、この折版屋根材４の山部40上に人が載った際や積雪による大きな荷重が加わった際には、この荷重を支承部材６が支承することとなって簡単に折版屋根の山部40が沈み込み変形してしまうようなことは防止される。
【００２７】
よって、本発明のタイトフレーム１を使用することで、本タイトフレーム１は山部10の強度が非常に高い上に、タイトフレーム１の山部10の水平頂面10Ａと折版屋根材４の山部40の裏面との間に生じる隙間５に配設する支承部材６によって折版屋根材４の山部40の変形防止作用が得られるので、極めて秀れた耐荷重性能を発揮する折版屋根を施工できることになる。
【００２８】
また、例えば、前記水平頂面10Ａの、この水平頂面10Ａより上方へ突出させた前記固定具２の側方位置に前記支承部材６を突設すれば、この固定具２を避けるために固定具２の周囲に生じる前記隙間５に確実に支承部材６が配設することになり、これにより隙間５上方の折版屋根材４の山部40の裏面をこの支承部材６が確実に支承若しくは荷重が加わって折版屋根材４の山部40が下方に変形した際にこの山部40の裏面を確実に支承することになる。
【００２９】
また、例えば、前記支承部材６は、前記水平頂面10Ａに固定された前記吊子３上部の立設板部30を挟んで前記固定具２が突出していない側に生じる前記隙間５に配設し得る前記水平頂面10Ａ位置に突設して、この支承部材６が前記固定具２の存しない側に配する前記折版屋根材４の山部40の裏面を支承若しくは荷重が加わって折版屋根材４の山部40が下方に変形した際にこの山部40の裏面を支承し得るように構成すれば、固定具２すらない側の隙間５に支承部材６が配設して折版屋根材４の山部40の下方への沈み込み変形を確実に防止することができる。
【００３０】
更に、例えば、前記水平頂面10Ａに固定された前記吊子３上部の立設板部30を挟んで前記固定具２が突出している側に生じる前記隙間５に配設して、この固定具２の存する側に配する前記折版屋根材４の山部40の裏面を支承若しくは荷重が加わって折版屋根材４の山部40が下方に変形した際にこの山部40の裏面を支承する第二の支承部材16を備える構成とすれば、隣接する折版屋根材４の夫々の山部40の裏面を支承部材６と第二の支承部材16とで支承するので、この双方の山部40の下方への変形を確実に防止することができ、極めて秀れた耐荷重性を発揮する。
【００３１】
また、例えば、一枚の金属板60を略コ字状に折曲形成してこのコ字形の金属板60の両端部が前記水平頂面10Ａに接地して取付すると共に、コ字形の金属板60の中間板部が前記折版屋根材４の山部40の裏面を支承若しくは荷重が加わって折版屋根材４の山部40が下方に変形した際にこの山部40の裏面を支承する支承面60Ａとして水平頂面10Ａより突設する形状の前記支承部材６を構成すれば、一枚の金属板60を折曲することにより極めて容易に且つコスト安に支承部材６を実現可能となり、しかも、金属板60をコ字状に折曲形成して構成したこの支承部材６は強度が高く、耐荷重性に秀れるために良好に折版屋根材４の山部40の裏面を支承して山部40の変形を防ぐことができる。
【実施例１】
【００３２】
本発明の具体的な実施例１について図１〜図５に基づいて説明する。
【００３３】
本実施例のタイトフレーム１は、図１，図２に示すように、山部10の頂面10Ａを、吊子３固定用の段差面であってこの吊子３固定用の固定具２が折版屋根材４の裏面に接触することを避けるために一段低くした段差面を有しない略平坦な段差のない水平頂面10Ａに形成している。
【００３４】
また、図３に示すように、タイトフレーム１の山部10の水平頂面10Ａには、ボルト２を採用した固定具２を下方から貫通してこの固定具２の先端部（ボルト先端部）を水平頂面10Ａより上方へ突設し、この固定具２を用いて水平頂面10Ａに吊子３を固定し得るように構成している。
【００３５】
ここで、図示した吊子３について説明すると、金属製の板材を屈曲形成して成るもので、図２〜図４に示すように、立設板部30の下端を略直角に屈曲形成してこの下端の板部を前記タイトフレーム１の山部10の頂面10Ａに固定するための固定板部31とすると共に、この立設板部30の上端部を固定板部31の屈曲方向と逆方向に鉤形に屈曲形成してこの上端の鉤部を折版屋根材４の山部40に形成された接合部40Ａを馳締めする巻き込み部32としている。
【００３６】
また、固定板部31の略中央には、前記水平頂面10Ａより上方へ突設する固定具２（ボルト）の先端部を通すための長窓状の固定孔31Ａを貫通形成している。
【００３７】
水平頂面10Ａへの吊子３の固定構造は、水平頂面10Ａに吊子３の固定板部31を載置すると共に、この固定板部31の固定孔31Ａを介して前記固定具２たるボルト２の先端部を固定板部31より上方へ突出させ、この固定板部31より突設するボルト２先端部にナット15を螺着することで固定する構造としている。
【００３８】
そして、このようにしてタイトフレーム１の山部10に固定した吊子３（の巻き込み部32）に、折版屋根材４の山部40端部の接合部40Ａを馳締めすることでこの折版屋根材４をタイトフレーム１上に取付する（図１参照。）が、この際、規格品の吊子３と折版屋根材４とは、元々折版屋根材４を馳締めして吊子３に固定した際に、吊子３固定用の固定具２が折版屋根材４の山部40の裏面に接触しないような寸法設定がなされているため、タイトフレーム１の山部10の水平頂面10Ａと折版屋根材４の山部40の裏面との間には、吊子３の立設板部30を挟んだどちらの側にも（固定具２が突出している側と固定具２がない側とのどちらの側にも）、固定板部31の上面より上方へ突出する前記固定具２の上部（図面ではボルト２先端部）が折版屋根材４の裏面に接触することを避けるための隙間５が生じることになる。
【００３９】
本実施例では、この隙間５に配設して、折版屋根材４の山部40の裏面を支承若しくは荷重が加わって折版屋根材４の山部40が下方に変形した際にこの山部40の裏面を支承する支承部材６を、タイトフレーム１の水平頂面10Ａに突設している。
【００４０】
即ち、この隙間５に、折版屋根材４の山部40の裏面を支承する支承部材６を配設した構造とすることで、この隙間５上方の山部40上に人が載ったり、積雪したりすることによって大きな荷重が加わった際に、この支承部材６が山部40の裏面を支承してこの山部40の下方への沈み込み変形を防止する構成としている（図２参照。）。
【００４１】
また、本実施例の支承部材６は、一枚の金属板60を所定形状に折曲形成して構成している。
【００４２】
具体的には、図２〜図４に示すように、帯状の金属板60の中程より一端側を略コ字状に折曲し、この金属板60のコ字形板部の両端部と他側板部とが前記水平頂面10Ａに接地して取付されて、この際、水平頂面10Ａより上方へ突出状態となるコ字形板部の中間板部が前記折版屋根材４の山部40の裏面を支承若しくは荷重が加わって折版屋根材４の山部40が下方に変形した際にこの山部40の裏面を支承する支承面60Ａとして機能する形状に構成している。
【００４３】
また、この支承部材６の水平頂面10Ａへの取付構造は、前記固定具２と共に水平頂面10Ａに取付する構造としている。
【００４４】
更に詳しくは、支承部材６を構成する金属板60の他側板部に水平頂面10Ａより上方へ突出させた前記固定具２の先端部を貫通させた上で、この固定具２と共に支承部材６（金属板60の他端部）を水平頂面10Ａにカシメ止めした構造としている。尚、支承部材６は、水平頂面10Ａに溶接する構成でも良いし、他の取付手段により取付しても良い。
【００４５】
また、この支承部材６には、その長さ方向に沿って複数の補強リブ60Ｂを形成することで保形強度を向上させ、折版屋根材４の山部40の高い支承強度を発揮する構成としている。更に、コ字形板部の一端部を内向きに折曲した上で両側を下方へ折曲すると共に、他側板部の長さ方向の両側縁も下方へ折曲形成して支承部材６の保形強度を向上させている。
【００４６】
また、この支承部材６のコ字形板部の一端部両側の折曲部60Ｃと、他側板部の両側の折曲部60Ｃとは、図５に示すように前記水平頂面10Ａの長さ方向の両側縁に沿設するように折曲して、この各折曲部60Ｃにより支承部材６が水平頂面10Ａに対して回り止め状態で取付固定される構成としている。
【００４７】
また、本実施例では、水平頂面10Ａに取付固定したこの支承部材６の他側板部に前記吊子３の固定板部31を載置して固定孔31Ａに固定具２を挿通すると共に、支承部材６のコ字形板部の他側の立設部に吊子３の立設板部30を沿設させた状態で固定具２にナット15を螺着して吊子３を水平頂面10Ａに固定する構成としている。
【００４８】
即ち、支承部材6の支承面60Ａが、前記吊子３上部の立設板部30を挟んで前記固定具２が存しない側に生じる前記隙間５に配設して、この固定具２の存しない側に配する前記折版屋根材４の山部40の裏面を支承部材６の支承面60Ａが支承し得るように構成している。
【００４９】
また、本実施例は、水平頂面10Ａに対する支承部材６の支承面60Ａの上方への突出度を、前記固定具２の上部（ボルト２先端部）の高さと略同じ高さとなる突出度に設定して、施工後は、この支承部材６の支承面60Ａが折版屋根材４の山部40の裏面に近接状態となって、この山部40が荷重により下方へ少し変形した際に、支承面60Ａが山部40裏面を支承することになる構成としている。
【００５０】
このように構成した本実施例の支承部材６は、一枚の金属板60から容易に且つコスト安に設計実現可能である。
【００５１】
また、本実施例では、前記水平頂面10Ａに固定された前記吊子３上部の立設板部30を挟んで前記固定具２が突出している側に生じる前記隙間５に配設して、この固定具２の存する側に配する前記折版屋根材４の山部40の裏面を支承若しくは荷重が加わって折版屋根材４の山部40が下方に変形した際にこの山部40の裏面を支承する第二の支承部材16を備えている。
【００５２】
具体的には、本実施例の第二の支承部材16は、図２〜図４に示すように、一枚の金属板60の後部側を折り返してコ字状に折曲形成して、上板部61と下板部63とが間隔を置いて上下に対設する形状に構成すると共に、この上板部61に設けた折曲片部62を前記下板部63側へ垂下折曲してこの折曲片部62の垂下端部を下板部63の表面に近接若しくは当接する形状に構成している。そして、この上板部61の上面が折版屋根材４の山部40の裏面を支承し得る構成としている。
【００５３】
更に詳しくは、一枚の略長方形状の金属板60の一側を略Ｔ字状に切欠形成し、この一側を切欠した金属板60をコ字状に折り返し形成して、切欠部分がある側の板部を上板部61、反対側の板部を下板部63としている。
【００５４】
また、これにより上板部61は、右上板部61Ｒと左上板部61Ｌとが形成される構成とし、この右上板部61Ｒと左上板部61Ｌの夫々の対向内側に折曲片部62が一体に連設突設する構成としている。
【００５５】
また、この左右夫々の折曲片部62は、下板部63に向けて垂下折曲形成し、この垂下端部が下板部63の上面と近接若しくは当接状態となる形状に形成した構成としている。
【００５６】
また、下板部63は、中央部に前記固定孔31Ａと同形状の合わせ孔63Ａを貫通形成して、この下板部63を前記吊子３の固定板部31に重合沿設（載置）させると共に後板部64を立設板部30に重合沿設させた際に、この合わせ孔63Ａと前記固定孔31Ａとが連通するように構成している。そして、この連通する合わせ孔63Ａと前記固定孔31Ａとに固定具２を挿通すると、固定具２の上端が下板部63より上方へ突出して右上板部61Ｒと左上板部61Ｌの間に配設される構成とし、この右上板部61Ｒと左上板部61Ｌの間に突出する固定具２の先端部に前記ナット15を螺着することで、この第二の支承部材16が吊子３と共に水平頂面10Ａに取付される構成としている。
【００５７】
また、この第二の支承部材16は、前記上板部61から前記後板部64を介して前記下板部63に至る折曲部分に補強リブ８を形成して保形性を高めている。
【００５８】
また、本実施例は、この第二の支承部材16の高さ寸法を、前記固定具２の上部（ボルト２先端部）の高さと略同じ高さとなる高さ寸法に設定して、施工後は、この第二の支承部材16の上板部61が折版屋根材４の山部40の裏面に近接状態となって、この山部40が荷重により下方へ少し変形した際に、上板部61が山部40裏面を支承することになる構成としている。
【００５９】
また、本実施例では、第二の支承部材16の少なくとも下板部63の前後幅寸法を、前記吊子３の固定板部31の前後幅寸法よりも幅広に設定して、この下板部63を固定板部31に沿設重合させた際に固定板部31の前後端部より下板部63の前後両端部が外側へ突出するように構成した場合を示している。
【実施例２】
【００６０】
本発明の具体的な実施例２について図６〜図８に基づいて説明する。
【００６１】
本実施例は、前記実施例１において、第二の支承部材16を用いない場合を示している。
【００６２】
即ち、前記実施例１において、前記吊子３の立設板部30を挟んだ前記タイトフレーム１固定用の固定板部31が存する側（固定具２が存する側）には、第二の支承部材16を設けないようにして、固定具２が存しない側の支承部材６で片側の折版屋根材４の山部40だけを支承し得るように構成した場合である。
【００６３】
また、本実施例で図示した吊子３は、固定板部31上に補強板部33を沿設固定し、この補強板部33は、その一部を立設板部30にも沿設固定して固定板部31と立設板部30との保形強度を高めている。また、この補強板部33には、前記固定孔31Ａと連通して前記固定具２を挿通する固定孔31Ａと同形状の貫通孔33Ａを形成している。
【００６４】
その他の構造は前記実施例１と同様であるので、図面に同符号を付すことで詳しく説明することは省略する。
【実施例３】
【００６５】
本発明の具体的な実施例３について図９〜図１１に基づいて説明する。
【００６６】
本実施例は、支承部材６の構成を前記実施例１とは異ならせた場合である。
【００６７】
具体的には、本実施例の支承部材６は、前記実施例１の第二の支承部材16と同一構成のものを採用している。即ち、実施例１の第二の支承部材16と説明が重複するので、図面に同符号を付すことで本実施例の支承部材６を詳しく説明することは省略する。
【００６８】
また、本実施例の支承部材６も、吊子３の立設板部30に対して、吊子３固定用の固定板部31（前記固定具２）の存しない側に生じる前記隙間５に配設するように設けるが、この支承部材６の前記タイトフレーム１の山部10の水平頂面10Ａへの取付構造は、固定部７を介して吊子３と共に前記固定具２により取付することで水平頂面10Ａに突設する構造としている。
【００６９】
更に詳しくは、図１０に示すように、支承部材６の下板部63の２倍程度の面積を有する方形状の金属板材を固定部７として採用し、この固定部７の上面の一側の半分部分に支承部材６をその後板部64が中央側に存するようにして前記下板部63を沿設して溶接固定している。
【００７０】
また、この固定部７の支承部材６のない他側の半分部分の略中央部に挿通孔７Ａを貫通形成すると共に、固定部７の他側の半分部分の上面に、前記吊子３を載置して立設板部30の固定板部31が存しない側の板面を一側の支承部材６の後板部64に沿設させると、この挿通孔７Ａと前記固定孔31Ａとが連通する構成とし、この連通する連通孔７Ａと固定孔31Ａとに固定具２を挿通して螺着することで、水平頂面10Ａに吊子３と共に支承部材６を固定する構造としている。
【００７１】
また、本実施例の吊子３には第二の支承部材16を溶接固定した場合を示しており、吊子３と共に第二の支承部材16も固定される構成としている。このようにして吊子３に第二の支承部材16を一体的に固定することにより、第二の支承部材16が吊子３の補強体としても機能し、保形強度の高い吊子３を構成できることになる。
【００７２】
また、本実施例では、図９，図１０に示すように、タイトフレーム１の山部10の水平頂面10Ａに螺子孔10Ｂを設け、この螺子孔10Ｂに挿通孔７Ａと前記固定孔31Ａ（合わせ孔63Ａ）とを連通させて固定板部31（第二の支承部材16）の上方から固定具２を螺子孔10Ｂに螺着することで、支承部材６と、第二の支承部材16付の吊子３とが同時に水平頂面10Ａに取付固定される構成としている。図中符号９は座金である。
【００７３】
その他の構造は前記実施例１と同様である。
【実施例４】
【００７４】
本発明の具体的な実施例４について図１２〜図１４に基づいて説明する。
【００７５】
本実施例は、前記実施例３において、第二の支承部材16を用いない場合を示している。
【００７６】
即ち、前記実施例３において、前記吊子３の立設板部30を挟んだ前記タイトフレーム１固定用の固定板部31が存する側（前記固定具２が存する側）には、第二の支承部材16を設けないようにして、固定具２が存しない側の支承部材６で片側の折版屋根材４の山部40だけを支承し得るように構成した場合である。
【００７７】
また、図面の吊子３は、前記実施例２と同様のものを採用している。
【００７８】
その他の構造は前記実施例３と同様である。
【００７９】
尚、本発明は、実施例１〜４に限られるものではなく、各構成要件の具体的構成は適宜設計し得るものである。
【図面の簡単な説明】
【００８０】
【図１】実施例１の使用状態（完成状態）を示す概略説明斜視図である。
【図２】実施例１の使用状態を示す拡大説明正断面図である。
【図３】実施例１のタイトフレームと、吊子とを示す拡大分解斜視図である。
【図４】実施例１に吊子を固定した状態を示す拡大説明斜視図である。
【図５】実施例１のである。
【図６】実施例２の使用状態を示す拡大説明正断面図である。
【図７】実施例２のタイトフレームと、吊子とを示す拡大分解斜視図である。
【図８】実施例２に吊子を固定した状態を示す拡大説明斜視図である。
【図９】実施例３の使用状態を示す拡大説明正断面図である。
【図１０】実施例３のタイトフレームと、支承部材と、第二の支承部材付の吊子とを示す拡大分解斜視図である。
【図１１】実施例３のタイトフレームに支承部材と第二の支承部材付の吊子とを固定した状態を示す拡大説明斜視図である。
【図１２】実施例４の使用状態を示す拡大説明正断面図である。
【図１３】実施例４のタイトフレームと、支承部材と、吊子とを示す拡大分解斜視図である。
【図１４】実施例４のタイトフレームに支承部材と吊子とを固定した状態を示す拡大説明斜視図である。
【図１５】従来例の完成状態を示す説明正断面図である。
【符号の説明】
【００８１】
１  タイトフレーム
２  固定具
３  吊子
４  折版屋根材
５  隙間
６  支承部材
10  山部
10Ａ  頂面
16  第二の支承部材
30  立設板部
40  山部
60  金属板
60Ａ  支承面
【図１】
2008214889.tif 000003
【図２】
2008214889.tif 000004
【図３】
2008214889.tif 000005
【図４】
2008214889.tif 000006
【図５】
2008214889.tif 000007
【図６】
2008214889.tif 000008
【図７】
2008214889.tif 000009
【図８】
2008214889.tif 000010
【図９】
2008214889.tif 000011
【図１０】
2008214889.tif 000012
【図１１】
2008214889.tif 000013
【図１２】
2008214889.tif 000014
【図１３】
2008214889.tif 000015
【図１４】
2008214889.tif 000016
【図１５】
2008214889.tif 000017